(57)【要約】　　　（修正有）【課題】大部分が一般産業廃棄物として焼却処分されている剪定枝葉、根株、間伐材、未利用樹幹、樹枝等の大量に発生するバイオマス資源を簡便、且つ経済的に基盤材として利用する技術の提供。【解決手段】剪定枝葉、間伐材、根株、未利用樹幹、樹枝等を７５ｍｍ以下となる様破砕チップ化し、この破砕チップ材をホッパーに投入し、該ホッパー底部に設けられた定量供給装置によって、定量的に供給し、これをブロア等によって搬送吹付けられる基盤材および該基盤材に埋土種子を含む表層土を混合して吹付けられる植物生育基盤材あるいはこの基盤材に菌根菌体を含む材料を混合吹付けてなる生育基盤。さらに基盤の安定を図るためフライアッシュ化合物やアニオン系凝集剤を粘着剤として使用する施工方法【選択図】図１
2004100318.tif 000002
【特許請求の範囲】
【請求項１】
剪定枝葉、間伐材、根株、未利用樹幹、樹枝等を７５ｍｍ以下となる様破砕チップ化し、該破砕チップ材料をホッパー２・３に投入し、このホッパー下部に設けられた定量供給装置４によって該チップ材を定時定量的に供給し、これをコンプレッサーもしくはブロア１を用いて、平地もしくは斜面等に吹付けることを特徴とする基盤材とその施工方法。
【請求項２】
請求項１記載の植物性破砕チップ材と共に、埋土種子を含む表層土を質量比１％〜５０％の割合で混合してホッパーに投入し、定量供給装置を介してコンプレッサーもしくはブロアによって、平地もしくは斜面に吹付けることを特徴とする植物生育基盤とその施工方法。
【請求項３】
請求項１もしくは２記載の植物生育基盤とその施工方法において、植物性破砕チップ材および／もしくは埋土種子を含む表層土に肥料および／もしくは微量要素および／もしくは若干量の種子および／もしくはＶＡ菌根菌もしくはＶＡ菌根菌を含有する材料を吹付けることを特徴とする植物生育基盤材とその施工方法。
【請求項４】
請求項１〜３記載の基盤材とその施工方法において、植物性破砕チップ材料に重量比０．５％〜５．０％のフライアッシュ、クリンカアッシュあるいはペーパースラッジ焼却灰を混合あるいはこれらにセメントおよび／もしくはカルシウムおよび／もしくは石膏を加えた材料を混合吹付けることを特徴とする生育基盤材とその施工方法。あるいはこれらを主原料として４０％以上含みさらにセメントあるいはカルシウム化合物あるいは石膏等の添加物を混合した材料を混合吹付けることを特徴とする生育基盤材とその施工方法。
【請求項５】
請求項１〜３記載の生育基盤材とその施工方法において、吹付ノズルあるいはその付近でアニオン系凝集剤水溶液を混合吹付ける事を特徴とする生育基盤とその造成方法。
【請求項６】
請求項１〜５記載の基盤材ならびにその施工方法において、植物性破砕チップ材に（１）尿素あるいは硫安、（２）過燐酸石灰または炭酸カルシウム、（３）米ヌカあるいはフスマを混合吹付ける事を特徴とする緑化基盤材とその施工方法。
【請求項７】
請求項１〜５記載の生育基盤材およびその施工方法において、請求項６記載の各材料と共に、バチラス菌体を含む材料を重量比１％〜１０％混合吹付けることを特徴とする生育基盤材とその施工方法。
【請求項８】
請求項１〜７記載の生育基盤材とその施工方法において、粉末炭を植物性破砕材料に対し、質量比５％〜４０％の割合で混合吹付けることを特徴とする生育基盤材とその施工方法。
【発明の詳細な説明】
【０００１】
【発明の属する技術分野】
本発明は現在大部分が一般産業廃棄物として焼却処分されている植物性材料（剪定枝葉、根株、間伐材、未利用樹幹、樹枝を破砕して植物性破砕チップ材とし、これを用いる基盤材とその施工方法を提案する。
【０００２】
【発明が解決しようとする課題】
剪定枝葉、間伐材、根株、未利用樹枝、樹幹等の植物性発生材料は大部分が一般廃棄物として焼却処分されていた。この焼却処分は多額の費用を要し、さらにＣＯ２の発生により地球温暖化の原因となっている。又、一部は破砕チップ化して堆肥化されているが、山野に堆積あるいは散布処分されている。しかし、リグニンやセルローズを大量に含むこれらの植物性破砕チップ材は難分解性であり、堆肥化には長期間を要する。又、山野に野積み放置された破砕チップ材は嫌気状態になって腐敗を引き起こし、悪臭や汚水発生の原因となっている。本発明ではこれらの大量に発生するバイオマス資源を簡便且つ経済的に基盤材として利用する技術を提供しようとするものである。
【０００３】
【課題を解決する為の手段】
これらの問題を解決し、大切なバイオマス資源である未利用樹木材料を有効利用し、みどりの再生を図るため、より簡便で経済的な基盤とその造成方法を提供するものである。剪定枝、間伐端材、根株、未利用樹枝、樹幹等を７５ｍｍ以下となる様タブグラインダー等の破砕機によって破砕する。この破砕材のサイズは、好ましくは５０ｍｍ以下程度がよい。こうして破砕チップ化した材料をホイルローダーやバックホウによってホッパーに投入する。このホッパーの下部に取り付けられた定量供給装置によって定量的に供給される。さらに、これに連結してブロアが組み込まれ、このブロアの風力によって該破砕チップ材はデリバリーホースを介して搬送され、ノズル部より吹付けられる。この吹付に使用するホースは径２００ｍｍ以下、好ましくは１５０ｍｍ程度のスパイラル補強された樹脂製ホースが用いられる。こうして吹付形成された基盤は圧縮空気等によるものと異なり、圧密されず適度な空隙を持ち、通気性、透水性、保水性に優れた植物生育基盤や透水層、保温層、排水層を形成する。従って、形成された基盤層そのものが法面保護層となるばかりでなく、スキー場等での断熱層や融雪時の排水層、排水施設としても利用できる。又、該植物性破砕チップ材は様々な粒径、形状の材料が混在する為、摩擦抵抗力が大きく、互いに絡み合って架橋作用を生じて、吹付厚が３０ｃｍ程度以下であれば斜面勾配４５°程度より緩勾配では粘着剤や接合材を使用しなくても安定的に附着して、風や降雨、融雪によっても飛散や流亡する事はない。又、適度な空隙を有するため、風や鳥類によって運ばれた付近の山野に自生する在来郷土種の植物種子が定着し易く、木の持つ保水能により発芽生育が促進される。この破砕チップ材と共に、埋土種子を含む表層土を質量比１％〜５０％混合吹付ける事により、在来郷土種による自然植生の復元をより促進する事ができる。吹付けた植物性破砕チップ材は約１０ヶ月〜１８ヶ月で土壌微生物によってゆっくりと分解され堆肥化される。発酵は長期にわたりゆっくりと進行する為、フェノール酸や炭酸ガス等による発芽障害は発生しない。又、吹付厚も３０ｃｍ程度以下であれば発酵温度も過度に上昇する事なく発芽生育障害を起こす事はない。
【０００４】
さらに勾配が４５°より急な斜面や岩盤斜面ではフライアッシュやクリンカアッシュあるいはペーパースラッジ焼却灰もしくはこれらを主原料とする化合物を植物性破砕チップ材と共に混合吹付ける事によって網目状の基盤を形成し、エトリンガイドの作用により地盤に固着、固定され、より安定した基盤を形成する事ができる。又、この基盤にＶＡ菌根菌あるいはＶＡ菌根菌を含有する材料を混合吹付けることにより、菌根菌の菌糸がネット状に生長し、飛来種子や埋土種子の幼芽期の枯死を防止し、幼苗期の生育を促進し、自然植生回復が確実に施される。特に水分が植物生育に大きな影響を与える急斜地では菌根菌の効果は高い。
【０００５】
又、異なる手法としてアニオン系の凝集剤の水溶液を吹付ノズル部付近で混合吹付ける事により、同様にポーラスで通気性、透水性に富み、安定した生育基盤を造成する事ができる。又、特に地山の養分が少なく、植物性破砕チップ材を早急に堆肥化する必要がある場合は、（１）尿素、（２）過燐酸石灰又は炭酸カルシウム及び高温菌である（３）バチルス菌の菌体、（５）米ヌカまたはフスマを混合吹付ける事によって発酵は促進され、３ヶ月〜４ヶ月程度で分解され堆肥化される。この時尿素は植物性破砕チップ材の炭素率（Ｃ／Ｎ比）を低下させ、発酵至適Ｃ／Ｎ比とされる３０〜４０程度に下げる。又、過燐酸石灰や炭酸カルシウムは水素イオン濃度（ｐＨ）を調整し、微生物が最も活発に働くｐＨ６．５〜８．５程度に調整する。こうして形成された微生物の最も増殖し、働き易い環境にバチラス菌体と微生物の栄養源となる米ヌカあるいはフスマ等を混入する事で分解は促進される。
【実施例１】
【０００６】
又、火山地や酸性雨による強酸性地では、植物性破砕チップ材料と共に、粉炭を植物性破砕チップ材に対する質量比５％〜４０％混合することにより、炭の還元作用により水素イオン濃度を調整し、菌根菌やバチルス菌の菌床となる。この粉炭は、好ましくは高温で焼成された自炭がよい。７５ｍｍ以下となる様タブグラインダーで一次破砕された植物性破砕チップ材を５０ｍｍメッシュのふるいで分別し、通過した材料をホッパーに投入しホッパー底部の定量装置によって順次排出される該チップ材をブロアにより径１５０ｍｍのデリバリーホースで斜面等に搬送し、ノズル部より排出吹付けた。この斜面勾配は、切土面が１：１．２、盛土面が１：１．５であった。施工は１１月から１２月上旬にかけて行い、吹付厚は１０ｃｍとした。種子、肥料、粘着剤等は特に加えず、冬を迎え積雪を見た。３月中旬に融雪期となり、吹付後の状況を確認したが、融雪による基盤の流失やエロージョンは見られず、斜面の保護と安定に寄与した事が確認された。又、４〜５月にかけて付近の山野地に自生する在来郷土種植物種子が飛来あるいは鳥類によって運ばれ、随所で発芽生育している事が確認された。６月には該郷土種による植被率は４０〜５０％程度となり、充分緑化の目的を果たす事が確認された。すなわち植物性破砕チップ材料を勾配１：１．２〜１：１．５程度の斜面に吹付厚さ１０ｃｍ程度に吹付ける事により、冬期の積雪や凍上、融解等から斜面を保護し、安定を図ることができるばかりではなく、その後春先には付近に自生する在来郷土植物の種子が飛来あるいは運ばれて、付近の自然植生に近い在来郷土種による自然植生の復元が可能であることが確認できた。これは、粒径や形状の異なる植物性破砕チップ材が複雑に絡み合うと共に、その形状が摩擦力を発揮して抵抗し、流亡を防ぐと共にブロアによって圧密される事はなく、適度な空隙をもった形で吹付けされた基盤は透水性に優れ、融雪時の流下水を充分吸収して基盤材が地山と雪の間で排出させた為である。又、風等によって飛来した在来郷土植物種子は、植物性破砕チップ材の空隙に入って定着し、木質のもつ保水能により発芽生育したものである。
【実施例２】
【０００７】
勾配が４５°以上の急勾配の斜面に前記植物性破砕チップ材を吹付けたものであり、植物性破砕チップ材に加えて生育基盤の安定と透水性、通気性、保水性の保持を目的として粘着剤あるいは接合材としてフライアッシュあるいはクリンカアッシュ、ペーパースラッジ焼却灰又はこれを主原料としてセメント、石膏、カルシウム等を混合した材料を添加した。その配合は重量比０．５％〜５％程度が至適であり、このフライアッシュ等は水和反応によって網目構造を形成し、エトリンガイドの作用により地山にしっかりと固着された。又、その際基盤は網目状の構造となる為、透水性、通気性を損なわず、保水性を高め、発芽生育を促進する。これに化成肥料、種子を添加する事によって、目標とする植物群落が早期に造成された効果が認められた。特に窒素分の少ない生育基盤であることから木本類の生育には草本による被圧が少なく、ハギ類の発芽生育は顕著であった。又、フライアッシュやクリンカアッシュ等に替えてアニオン系の凝集剤の水溶液をノズル付近で混合吹付けても団粒構造を形成し、フライアッシュ系接合剤と同等の効果を得る事が確認できた。
【実施例３】
【０００８】
岩盤や無土壌岩石地の斜面においては、有機質が乏しく植物が自立生育し、自己肥培系を確立させる為には、ある程度の有機質が要求される。植物系破砕チップ材はそれ自体が有機質の基盤材であるが、リグニンやセルローズを多量に含み、難分解性の基材であり、これが分解され有機質の堆肥となるには、１０ヶ月〜１８ヶ月という長期間を要する。よって発酵を促進し堆肥化をすすめる為、微生物が活発に増殖する至適環境を作り、分解をすすめる為炭素率（Ｃ／Ｎ比）改善の為に尿素もしくは硫安等の窒素肥料を重量比０．５〜５％混合し、さらに水素イオン濃度（ｐＨ）改善の為の過燐酸石灰あるいは炭酸カルシウムを重量比１〜７％加えて混合する。これに種菌としてバチラス菌体を０．５〜３％程度混合し、さらに菌体の栄養源として米ヌカあるいはフスマを植物性破砕チップ材と共に定量装置を有するブロア式吹付装置によって吹付け、厚５〜２０ｃｍ程度に吹付けた。これによって分解速度は速まり、３〜５ヶ月程度で堆肥化が進み、有効な有機質生育基盤が造成された。こうして造成された基盤は、初期は肥料分が少ない為、草本の発芽生育は抑制され、木本や在来郷土種の植物の発芽生育が促進され、より自然植生の復元には有効であった。
【図面の簡単な説明】
【図１】本発明による吹付装置の概略図である。
【符号の説明】
１…ブロアもしくはコンプレッサー
２…破砕チップ材ホッパー
３…種子肥料ホッパー
４…定量装置
５…デリバリーホース
６…ノズル
【図１】
2004100318.tif 000003